(57)【要約】【課題】ＡＶ機器等の電子機器を遠隔操作するものであって、操作情報をより確実に無線送信することが容易となるリモコン装置の提供を目的とする。【解決手段】所定の電子機器を遠隔操作するための操作情報を外部に赤外線送信する、赤外線送信部を備えたワイヤレスリモコン装置において、電波を媒体として外部への情報送信を行う電波送信部をも備えたワイヤレスリモコン装置とする。【選択図】図２
2009089322.tif 000002
【特許請求の範囲】
【請求項１】
電子機器を遠隔操作するための操作情報を外部に赤外線送信する、赤外線送信部を備えたワイヤレスリモコン装置において、
電波を媒体として外部への情報送信を行う電波送信部をも備えたことを特徴とするワイヤレスリモコン装置。
【請求項２】
前記電波送信部は、前記操作情報を外部へ電波送信することを特徴とする請求項１に記載のワイヤレスリモコン装置。
【請求項３】
前記操作情報の送信が前記赤外線送信部および前記電波送信部の何れによりなされるかを、ユーザにより適宜選択可能としたことを特徴とする請求項２に記載のワイヤレスリモコン装置。
【請求項４】
ユーザによる情報入力に基づいて前記操作情報を生成する、操作情報生成部を備え、
前記赤外線送信部および前記電波送信部は、該操作情報生成部により生成された該操作情報を受取ることを特徴とする請求項３に記載のワイヤレスリモコン装置。
【請求項５】
請求項２に記載のワイヤレスリモコン装置から電波送信された前記操作情報を受信する受信部と、
該受信された操作情報を、赤外線を媒体として前記電子機器に転送する転送部と、
を備えたことを特徴とするブリッジ装置。
【請求項６】
前記電波送信された操作情報の受信の有無を検出する受信検出部と、
該受信検出部における検出結果に応じて、自己が有する回路への駆動電力の供給形態を切り替えることを特徴とする請求項５に記載のブリッジ装置。
【請求項７】
請求項２に記載のワイヤレスリモコン装置と、
請求項５に記載のブリッジ装置と、
を備えたことを特徴とするワイヤレスリモコンシステム。
【請求項８】
前記ブリッジ装置は、
前記ワイヤレスリモコン装置から前記操作情報を電波受信した場合に、所定の第１情報を、前記ワイヤレスリモコン装置に送信する第１情報送信部を備え、
前記ワイヤレスリモコン装置は、
該第１情報を受信した場合に、所定の音響出力または発光を行うことを特徴とする請求項７に記載のワイヤレスリモコンシステム。
【請求項９】
前記ブリッジ装置は、
ユーザによる指示に応じて、所定の第２情報を、電波を媒体として前記ワイヤレスリモコン装置に送信する第２情報送信部を備え、
前記ワイヤレスリモコン装置は、
該第２情報を受信した場合に、所定の音響出力または発光を行うことを特徴とする請求項７に記載のワイヤレスリモコンシステム。
【請求項１０】
請求項２に記載のワイヤレスリモコン装置から電波送信される前記操作情報を受信するブリッジ装置であって、
前記電子機器内に組み込まれる態様で用いられるものであり、
該受信された操作情報を該電子機器内の他の回路に伝送することを特徴とするブリッジ装置。
【請求項１１】
請求項１０に記載のブリッジ装置が組み込まれたことを特徴とする電子機器。
【発明の詳細な説明】
【技術分野】
【０００１】
本発明は、ＡＶ機器等の電子機器を遠隔操作するワイヤレスリモコン装置、これと共に用いられるブリッジ装置、およびこれらが用いられたワイヤレスリモコンシステムに関する。
【背景技術】
【０００２】
従来、ＡＶ機器等の電子機器を遠隔操作するためのワイヤレスリモートコントロール装置（以下、単に「ワイヤレスリモコン装置」や「リモコン装置」と称することがある）が広く用いられている。かかるリモコン装置では、電子機器への操作情報の伝送媒体として、赤外線などが広く適用されている。
【特許文献１】特開２００２−２４７６６７号公報
【特許文献２】特開２０００−１５２３４７号公報
【発明の開示】
【発明が解決しようとする課題】
【０００３】
しかしながら上述したリモコン装置によれば、赤外線は電波に比べて直進性が高いことから、リモコン装置と電子機器における赤外線受光部との間に障害物がある場合に、電子機器の遠隔操作が妨げられる可能性が高い。
【０００４】
また、リモコン装置の使用による誤動作（意図しない機器を操作してしまうこと等）を防止するために、発光される赤外線自体の直進性を高め（広角な発光を抑え）、反射光による動作が起こりにくくなるように配慮されていることもある。またＴＶ放送受信機をリモコン操作する場合、例えば操作者が画面の中央にリモコン装置を向けて操作すると、画面の大型化が進んでいることもあり、一箇所の赤外線受光部で操作信号を確実に受けることが難しい場合がある。これらの事情から、赤外線を媒体とした操作情報の伝送がより難しくなっているおそれがある。
【０００５】
なおリモコン装置に、操作情報を発信する赤外線ＬＥＤが別方向に発光するように複数配置されているものや、リモコン操作される電子機器において赤外線受光部が複数設置されているものがある。しかし依然として、赤外線が届かないことにより遠隔操作が不可となる状況が発生している。また、例えばＤＶＤ再生装置においては、設置される場所がＴＶラックの中（場合によってはスモークガラスの扉に囲まれたラックの中）等である場合に、赤外線による操作情報の伝送が困難となるケースもある。
【０００６】
そこで本発明は、ＡＶ機器等の電子機器を遠隔操作するものであって、操作情報をより確実に無線送信することが容易となるリモコン装置の提供を目的とする。また、当該リモコン装置と共に用いられるブリッジ装置、およびこれらを用いたワイヤレスリモコンシステムの提供を目的とする。
【課題を解決するための手段】
【０００７】
上記目的を達成するため、本発明に係るワイヤレスリモコン装置は、電子機器を遠隔操作するための操作情報を外部に赤外線送信する、赤外線送信部を備えたものであって、電波を媒体として外部への情報送信を行う電波送信部をも備えた構成（第１の構成）とする。
【０００８】
本構成によれば、電波送信部が備えられているために、赤外線送信部によって操作情報を赤外線送信させるだけなく、操作情報を電波送信させるようにすることも容易である。そのため単に赤外線送信を行なうワイヤレスリモコン装置などに比べ、電子機器に対して、操作情報をより確実に無線送信させることが容易となる。
【０００９】
また上記第１の構成としてより具体的には、前記電波送信部は、前記操作情報を外部へ電波送信する構成（第２の構成）としてもよい。本構成によれば、電子機器に対して、操作情報をより確実に無線送信させることが容易となる。なおここでの「操作情報」については、その表現形態は限定されず、例えば赤外線コードとなっているものも含まれる。
【００１０】
また上記第２の構成において、前記操作情報の送信が前記赤外線送信部および前記電波送信部の何れによりなされるかを、ユーザにより適宜選択可能とした構成（第３の構成）としてもよい。
【００１１】
本構成によれば、ユーザが赤外線送信部および電波送信部の何れによって操作情報を送信させるべきかを判断し、送信処理にその判断結果を反映させることが可能となる。そのため、より状況に即した送信処理を実行させることが可能となる。
【００１２】
また上記第３の構成において、ユーザによる情報入力に基づいて前記操作情報を生成する、操作情報生成部を備え、前記赤外線送信部および前記電波送信部は、該操作情報生成部により生成された該操作情報を受取る構成（第４の構成）としてもよい。本構成によれば、各送信部について操作情報を別々に生成させるものに比べて、処理の効率化を図ることが可能となる。
【００１３】
また本発明に係るブリッジ装置は、上記第２の構成に係るワイヤレスリモコン装置から電波送信される前記操作情報を受信する受信部と、該受信された操作情報を、赤外線を媒体として前記電子機器に転送する転送部と、を備えた構成（第５の構成）とする。
【００１４】
本構成によれば、ワイヤレスリモコン装置から電波送信された操作情報を、赤外線受信が可能な電子機器に転送させることが可能である。そのため、電波受信の機能を有さない電子機器に対しても、ワイヤレスリモコン装置から電波送信された操作情報を入力させることが可能となる。
【００１５】
また上記第５の構成において、前記電波送信された操作情報の受信の有無を検出する受信検出部と、該受信検出部における検出結果に応じて、自己が有する回路への駆動電力の供給形態を切り替える構成（第６の構成）としてもよい。
【００１６】
本構成によれば、待機時には、いわゆる省電力モードとしておき、操作情報の受信があった時には、駆動電力の供給形態を通常に復帰させることが容易となる。そのため、無駄な電力消費を極力抑えることが可能となる。
【００１７】
また本発明に係るワイヤレスリモコンシステムは、上記第２の構成に係るワイヤレスリモコン装置と、上記第５の構成に係るブリッジ装置と、を備えた構成（第７の構成）とする。
【００１８】
本構成によれば、上記の第２および第５の構成に係る利点を享受することができ、ワイヤレスリモコン装置から電子機器へ直接操作情報を送信する態様と、ブリッジ装置を介して送信する態様の両方を実現することが可能となる。
【００１９】
また上記第７の構成において、前記ブリッジ装置は、前記ワイヤレスリモコン装置から前記操作情報を電波受信した場合に、所定の第１情報を、前記ワイヤレスリモコン装置に送信する第１情報送信部を備え、前記ワイヤレスリモコン装置は、該第１情報を受信した場合に、所定の音響出力または発光を行う構成（第８の構成）としてもよい。
【００２０】
本構成によれば、ワイヤレスリモコン装置からブリッジ装置への操作情報の電波送信が成功したことを、ワイヤレスリモコン装置を通じてユーザに報知させることが可能となる。そのため、当該電波送信が失敗に終わったことを、ユーザが見過ごしてしまう事態を極力回避することが可能となる。
【００２１】
また上記第７の構成において、前記ブリッジ装置は、ユーザによる指示に応じて、所定の第２情報を、電波を媒体として前記ワイヤレスリモコン装置に送信する第２情報送信部を備え、前記ワイヤレスリモコン装置は、該第２情報を受信した場合に、所定の音響出力または発光を行う構成（第９の構成）としてもよい。
【００２２】
本構成によれば、例えばワイヤレスリモコン装置の現在位置が不明となった場合であっても、ブリッジ装置に所定の指示を与えることで、ワイヤレスリモコン装置に自己の位置を報知させることが可能となる。そのためユーザにとって、見失ったワイヤレスリモコン装置を見つけ出すことが容易となる。なお、第２情報は電波を媒体として送信されるため、仮にワイヤレスリモコン装置とブリッジ装置との間に障害物があったとしても、送信が妨げられる事態は極力回避される。
【００２３】
また本発明に係るブリッジ装置は、上記第２の構成に係るワイヤレスリモコン装置から電波送信される前記操作情報を受信するものであって、前記電子機器内に組み込まれる態様で用いられるものであり、該受信された操作情報を該電子機器内の他の回路に伝送する構成（第１０の構成）とする。
【００２４】
本構成に係るブリッジ装置によれば、例えば操作情報の赤外線受信が可能ではあるが、電波受信については不可である電子機器に組み込まれることで、ワイヤレスリモコン装置から操作情報が赤外線送信および電波送信の何れによって送信されても、操作情報を当該電子機器に入力させることが可能となる。
【００２５】
なお、上記第１０の構成に係るブリッジ装置が組み込まれた電子機器であれば、上記第１０の構成に係る利点を享受した電子機器が実現される。
【発明の効果】
【００２６】
上述した通り、本発明に係るワイヤレスリモコン装置によれば、電波送信部が備えられているために、赤外線送信部によって操作情報を赤外線送信させるだけなく、操作情報を電波送信させるようにすることも容易である。そのため単に赤外線送信を行なうワイヤレスリモコン装置などに比べ、電子機器に対して、操作情報をより確実に無線送信させることが容易となる。
【発明を実施するための最良の形態】
【００２７】
本発明の実施形態として、実施例１および実施例２を挙げて、以下に説明する。
【００２８】
［実施例１］
本発明に係る実施例１として、ＴＶ放送受信システムを挙げて以下に説明する。当該ＴＶ放送受信システムの構成概要を、図１に示す。本図に示すようにＴＶ放送受信システム９は、リモコン装置１、ブリッジ装置２、およびＴＶ放送受信機３を有している。
【００２９】
リモコン装置１は、図２に示すように、操作部１１、制御部１２、切替スイッチ１３、赤外線ＬＥＤ駆動部１４、赤外線ＬＥＤ１５、電波送受信部１６、アンテナ１７、およびインジケータ部１８などを備えている。
【００３０】
操作部１１は、押しボタンスイッチ等が配されたユーザインターフェースとして構成されている。ここでの操作内容を示す信号（操作信号）は制御部１２に伝送される。これによりユーザは、操作部１１の操作を通じて、ＴＶ放送受信機３に対する操作情報（例えば電源のＯＮ／ＯＦＦや、受信チャンネルの切替などの操作内容を示す情報）の入力が可能となっている。またユーザは操作部１１の操作を通じて、外部への操作情報の送信方式を、赤外線送信と電波送信の何れとするかについて、適宜選択することが可能となっている。
【００３１】
制御部１２は、例えばＭＰＵ［Micro Processing Unit］により構成されており、リモコン装置１においてなされる各種処理を制御する。また、操作部１１から伝送された操作信号をデコードし、操作情報を表す赤外線コード（操作情報が赤外線送信されるように、赤外線ＬＥＤを駆動させる信号）を生成する。なお主な処理の具体的内容については、改めて説明する。
【００３２】
切替スイッチ１３は、制御部１２で生成された赤外線コードの出力経路を、赤外線ＬＥＤ駆動部１４と電波送受信部１６の何れかに、切替可能に接続する。なおこの切替は、先述の通り、予めユーザによって操作部１１を介して実行される。またこれにより、制御部１２で生成された操作情報を表す赤外線コードを、当該切替を通じて、赤外線ＬＥＤ駆動部１４に出力させることも可能であり、電波送受信部１６に出力させることも可能である。そのため、赤外線コードを生成して赤外線ＬＥＤ駆動部１４に出力する装置と、赤外線コードを生成して電波送受信部１６に出力する装置とを、制御部１２に相当する装置だけで実現する（つまり共通化する）ことが容易となっており、これらの装置が別個に設けられているものに比べて、処理の効率化を図ることが容易となっている。
【００３３】
赤外線ＬＥＤ駆動部１４は、制御部１２から伝送されてきた赤外線コードに基づいて、操作情報が赤外線送信されるように赤外線ＬＥＤ１５を駆動する。これにより赤外線ＬＥＤ１５は、操作情報を外部へ赤外線送信することが可能である。
【００３４】
また電波送受信部１６は、制御部１２から伝送されてきた赤外線コードに対して増幅処理や変調処理などを適宜実行し、アンテナ１７を介して外部に電波送信する。これにより、赤外線コード（赤外線ＬＥＤを駆動する信号と同じ信号）が外部に電波送信される。なおここでの各処理は、制御部１２から赤外線コードが伝送されてきたことをトリガーとして開始されるようにしても良い。また電波送受信部１６は、ブリッジ装置２から送信される電波信号を、アンテナ１７を介して受信する役割をも果たす。
【００３５】
インジケータ部１８は、スピーカ（音響出力装置）やランプ（発光装置）を備えており、制御部１２による指示に応じて、所定の音響出力処理や発光処理を行う。これによりリモコン装置１は、ユーザに各種情報（何らかのタイミングが到来したことや、リモコン装置１の現在位置など）を報知することが可能となっている。
【００３６】
またブリッジ装置２は、図３に示すように、アンテナ２１、電波送受信部２２、制御部２３、赤外線ＬＥＤ駆動部２４、赤外線ＬＥＤ２５、および操作部２６などを備えている。
【００３７】
電波送受信部２２は、アンテナ２１に接続されており、リモコン装置１との電波通信を実行する。より具体的には、アンテナ２１を介してリモコン装置１から電波送信された信号（赤外線コードが変調されたもの）を受信して制御部２３に伝送する一方、制御部２３によりリモコン装置１への送信用として生成された情報を受取り、アンテナ２１を介してリモコン装置１へ電波送信する。
【００３８】
制御部２３は、例えばＭＰＵにより構成されており、ブリッジ装置２において実行される各種処理を制御する。またリモコン装置１から電波送信されてきた信号を、操作情報を表す赤外線コードに復元し、後段の赤外線ＬＥＤ駆動部２４に伝送する。なお主な処理の具体的内容については、改めて説明する。
【００３９】
赤外線ＬＥＤ駆動部２４は、制御部２３から伝送されてきた赤外線コードに基づいて、当該操作情報が赤外線送信されるように赤外線ＬＥＤ２５を駆動する。これにより赤外線ＬＥＤ２５は、操作情報を外部へ赤外線送信する。
【００４０】
操作部２６は、押しボタンスイッチ等を有したユーザインターフェースとして構成されており、ユーザによりボタン操作等がなされた場合に、その情報を制御部２３に伝送する。
【００４１】
ＴＶ放送受信機３は、一般的なＴＶ放送受信機としての機能を有しており、テレビ放送を受信してテレビ番組の映像や音声を出力する。これに加えてＴＶ放送受信機３は、赤外線受光部を備えており、外部（特に、リモコン装置１またはブリッジ装置２）から赤外線を媒体として伝送されてくる情報（特に操作情報）を受取ることが可能となっている。
【００４２】
またＴＶ放送受信システム９の配置態様として、ブリッジ装置２は、ＴＶ放送受信機３との赤外線通信が可能となる位置に配置されること、つまり、赤外線ＬＥＤ２５から放出される赤外線が、ＴＶ放送受信機３の赤外線受光部へ到達可能となる範囲内に配置されることが想定されている。またリモコン装置１は、ブリッジ装置２との電波通信が可能となる範囲内で、より好ましくは通常状態において（障害物５などが無い状態において）、ＴＶ放送受信機３との赤外線通信が可能となる範囲内で使用されることが想定されている。
【００４３】
次に、ＴＶ放送受信システム９において実行される主な処理の流れについて、図４のフローチャートを参照しながら説明する。
【００４４】
リモコン装置１は、通常時、操作部１１を通じてユーザによりリモコン操作（操作情報の入力）がなされたか否かを監視している（ステップＳ１１）。また同じく、ブリッジ装置２側から探索信号を受信したか否か（ステップＳ１２）、および、確認信号を受信したか否か（ステップＳ１３）をも監視している。なお後述する通り、「探索信号」は、リモコン装置１の現在位置の探索を容易とする処理に用いられる信号であり、「確認信号」は、電波通信が正常に行なわれたことの確認を容易とする処理に用いられる信号である。
【００４５】
リモコン操作がなされた場合には（ステップＳ１１のＹ）、制御部１２はリモコン操作により得られた信号をデコードし、操作情報を表す赤外線コード（以下、単に「操作情報」と称することがある）を生成して切替スイッチ１３に出力する。これにより、操作情報の送信方式として予め赤外線送信が選択されていれば（ステップＳ１６のＹ）、当該操作情報は赤外線ＬＥＤ駆動部１４に伝送され、赤外線ＬＥＤ１５を通じて外部に赤外線送信される（ステップＳ１７）。
【００４６】
また、操作情報の送信方式として電波送信が選択されていれば（ステップＳ１６のＮ）、当該操作情報は電波送受信部１６に伝送され、アンテナ１７を通じて外部に電波送信される（ステップＳ１８）。
【００４７】
また探索信号を受信した場合には（ステップＳ１２のＹ）、制御部１２は、インジケータ部１８に設けられているスピーカおよびランプに、所定内容の音響出力および発光を実行させる。なお必ずしも音響出力と発光の両方を実行させる必要は無く、何れか一方のみとしても構わない。これにより、ユーザに対してリモコン装置１の現在位置が報知される（ステップＳ１５）。
【００４８】
また確認信号を受信した場合には（ステップＳ１３のＹ）、制御部１２は、インジケータ部１８に設けられているスピーカおよびランプに、所定内容の音響出力および発光を実行させる。なお必ずしも音響出力と発光の両方を実行させる必要は無く、何れか一方のみとしても構わない。これにより、ユーザに対して電波送信の成功が報知される（ステップＳ１４）。また、ステップ１４の処理とステップ１５の処理に用いられるスピーカやランプは、互いに同じものとしても良く、別のものとしても良い。
【００４９】
一方、ブリッジ装置２は、リモコン装置１から電波送信された操作情報を受信したか否かを監視している（ステップＳ２１）。また同じく、ユーザによって探索処理の実行指示がなされたか否かを監視している（ステップＳ２２）。なお探索処理の実行指示は、操作部２６においてユーザが所定操作を行うことで実現される。
【００５０】
操作情報を受信した場合は（ステップＳ２１のＹ）、制御部２３は、所定の確認信号を生成して電波送受信部２２に伝送する。そして確認信号は電波送受信部２２によって、リモコン装置１に電波送信される（ステップＳ２４）。
【００５１】
また制御部２３は、受信した操作情報を赤外線ＬＥＤ駆動部２４に伝送する。これにより操作情報は、赤外線ＬＥＤ２５によってＴＶ放送受信機３に赤外線送信される（ステップＳ２５）。また探索処理の実行指示があった場合は（ステップＳ２２のＹ）、所定の探索信号を生成して電波送受信部２２に伝送する。
【００５２】
そしてＴＶ放送受信機３は、上述したステップＳ１７またはＳ２５の処理によって赤外線送信された操作情報を受取り、この操作情報に応じた処理を実行する。これによりＴＶ放送受信機３は、リモコン操作によって遠隔操作がなされるものとなっている。
【００５３】
上述したＴＶ放送受信システム９によれば、ユーザは予めリモコン装置１における操作情報の送信方式として赤外線送信を選択しておき、リモコン操作を行うことで、ＴＶ放送受信機３を遠隔操作することが可能である。つまり、一般的なＴＶ放送受信システムと同様に、「リモコン装置１→空間（赤外線送信）→ＴＶ放送受信機３」という経路で操作情報が伝送され、遠隔操作が実現される。
【００５４】
しかしこのような経路による伝送では、例えば図１で示すようにリモコン装置１とＴＶ放送受信機３との間に障害物５がある場合には、赤外線送信が阻害されてしまい、正常な遠隔操作ができないおそれがある。そこでこのような場合には、ユーザは予めリモコン装置１における操作情報の送信方式として電波送信を選択しておくことで、ＴＶ放送受信機３を遠隔操作することが可能である。つまり、「リモコン装置１→空間（電波送信）→ブリッジ装置２→空間（赤外線送信）→ＴＶ放送受信機３」という経路で操作情報が伝送され、遠隔操作が実現される。
【００５５】
ここで電波の方が赤外線（光線）に比べて直進性が小さいため、仮にリモコン装置１とブリッジ装置２との間に障害物があったとしても、両者間における電波通信が妨げられる可能性は非常に小さいといえる。以上のことからＴＶ放送受信システム９によれば、リモコン装置１によるＴＶ放送受信機３の遠隔操作をより確実に行うことが可能となっている。
【００５６】
なおＴＶ放送受信機に赤外線受光部が備えられ、リモコン装置から赤外線を出力させることでＴＶ放送受信機を遠隔操作するシステム自体は、既に広く普及している。そして本実施例のＴＶ放送受信システム９は、このような従来のシステムにおいて、新たなリモコン装置１とブリッジ装置２を付加するだけで（つまりＴＶ放送受信機３を新たに設けたり、従来のＴＶ放送受信機を設計変更したりすることなく）実現可能である。そのため従来のシステムにおけるＴＶ放送受信機を活かしながら、本実施例のＴＶ放送受信システム９を普及させることも、比較的容易である。
【００５７】
また日常においては、例えばリモコン装置を何処かに置き忘れたり、リモコン装置が座布団の下などに入り込んだりして、リモコン装置が見失われてしまう（現在位置が不明となる）ことも考えられる。しかしこのような事態となっても、ＴＶ放送受信システム９によれば、ユーザはブリッジ装置２に対して探索の指示を与えることにより（ステップＳ２２のＹ）、リモコン装置１に所定の音響出力や発光を行なわせることが可能である（ステップＳ１５）。そのためユーザは、見失われたリモコン装置１を容易に見つけ出すことが可能である。
【００５８】
またユーザにとっては、リモコン装置１からブリッジ装置２に向けて操作情報を電波送信した際、当該送信が正常に実行されたことがリモコン装置１を通じて確認できるようになっていると便利である。そこでＴＶ放送受信システム９では、操作情報が受信された場合にはブリッジ装置２から確認信号が電波送信され（ステップＳ２４）、リモコン装置１は所定の音響出力や発光を行うようになっている（ステップＳ１４）。これによりユーザは、リモコン装置１を通じて、操作情報の電波送信が正常に実行されたことを確認することが可能である。
【００５９】
またブリッジ装置２については、待機時（操作情報の受信や探索の指示を監視している期間）にいわゆる低消費電力モードとなるように設定しておき、リモコン装置１からの操作情報の受信を検出した場合には、通常のモードとなるようにしても良い。より具体的には、例えば待機時には、操作情報の受信（ステップＳ２１）や探索の指示（ステップＳ２２）の有無を監視（例えば、周期的に検出）できる限度に消費電力（ブリッジ装置２が有する回路への駆動電力の供給量）が極力小さくなるモードとしておき、操作情報の受信や探索の指示が有った場合にのみ、通常状態に復帰する（消費電力も通常となる）ようにする。
【００６０】
このようにしていれば、ブリッジ装置２における消費電力を常に通常どおりとする場合に比べて、電力の消費量を抑えることが可能となる。特にブリッジ装置２を介さずに、リモコン装置１によって直接ＴＶ放送受信機３を遠隔操作することが多い場合（ブリッジ装置２が、殆ど待機状態となっている場合）には、電力の消費量を大きく抑えることが可能となる。
【００６１】
［実施例２］
本発明に係る実施例２として、同じくＴＶ放送受信システムを挙げて以下に説明する。当該ＴＶ放送受信システムの構成概要を、図５に示す。本図に示すようにＴＶ放送受信システム９は、リモコン装置１およびＴＶ放送受信機３を有している。なお本実施例は、リモコン装置１の構成や操作情報の内容等については実施例１と同様のため、重複する説明は省略する。
【００６２】
本実施例におけるブリッジ装置４は、ＴＶ放送受信機３の構成部品（モジュール）として、その内部に組み込まれた態様で用いられている。ブリッジ装置４の構成図を図６に示す。本図に示すようにブリッジ装置４は、アンテナ４１、電波受信部４２、制御部４３、および出力端子４４などを備えている。
【００６３】
電波受信部４２は、アンテナ４１に接続されており、リモコン装置１から電波送信されてきた操作情報を受信する。制御部４３は、ブリッジ装置４においてなされる各処理を制御する。また制御部４３は、電波受信部４２により取得された操作情報を、出力端子４４を介してＴＶ放送受信機３内の回路に伝送する。これによりＴＶ放送受信機３は、操作情報を取得し、この操作情報に応じた処理を実行する。
【００６４】
以上のようにブリッジ装置４がＴＶ放送受信機３に組み込まれていることで、リモコン装置１からＴＶ放送受信機３への操作情報の送信方式として、赤外線送信と電波送信の何れかを適宜選択することが可能となっている。そのため実施例１の場合と同様に、送信方式として赤外線送信のみが採用されているものに比べて、リモコン装置１によるＴＶ放送受信機３の遠隔操作をより確実に行うことが可能となっている。
【００６５】
なおブリッジ装置４においては、実施例１における探索処理等を実行可能であるようにしておいても良い。また制御部４３を設ける代わりに、ＴＶ放送受信機３の制御装置から制御信号が入力されるようにしておき、この制御信号によってブリッジ装置４が制御されるようにしても良い。
【００６６】
以上、本発明の実施形態について説明したが、本発明の実施態様はこれらに限定されるものではなく、本発明の主旨を逸脱しない限り、種々の改変を加えることが可能である。また本実施形態では、操作情報を受取る電子機器としてＴＶ放送受信機を例に挙げたが、その他にもＤＶＤ録画再生装置などのＡＶ機器を中心として、種々の電子機器を適用することが可能である。
【産業上の利用可能性】
【００６７】
本発明は、ＴＶ放送受信システムなどの分野において利用可能である。
【図面の簡単な説明】
【００６８】
【図１】本発明の実施例１に係るＴＶ放送受信システムの概略的な構成図である。
【図２】本発明の実施例に係るリモコン装置の構成図である。
【図３】本発明の実施例１に係るブリッジ装置の構成図である。
【図４】本発明の実施例に係る主な処理の流れ図である。
【図５】本発明の実施例２に係るＴＶ放送受信システムの概略的な構成図である。
【図６】本発明の実施例２に係るブリッジ装置の構成図である。
【符号の説明】
【００６９】
１    ワイヤレスリモコン装置
２    ブリッジ装置（実施例１の場合）
３    ＴＶ放送受信機（電子機器）
４    ブリッジ装置（実施例２の場合）
５    障害物
９    ＴＶ放送受信システム（ワイヤレスリモコンシステム）
１１    操作部
１２    制御部
１３    切替スイッチ
１４    赤外線ＬＥＤ駆動部（赤外線送信部）
１５    赤外線ＬＥＤ
１６    電波送受信部（電波送信部）
１７    アンテナ
１８    インジケータ部
２１    アンテナ
２２    電波送受信部
２３    制御部
２４    赤外線ＬＥＤ駆動部
２５    赤外線ＬＥＤ
２６    操作部
４１    アンテナ
４２    電波受信部
４３    制御部
４４    出力端子
【図１】
2009089322.tif 000003
【図２】
2009089322.tif 000004
【図３】
2009089322.tif 000005
【図４】
2009089322.tif 000006
【図５】
2009089322.tif 000007
【図６】
2009089322.tif 000008